(57)【特許請求の範囲】
【請求項１】
ＤＣ／ＡＣ変換器（１１）と、
前記ＤＣ／ＡＣ変換器の直流入力側のＤＣ中間回路（１０）と、
複数のＤＣ／ＤＣ変換器（７）であって、互いに並列に、出力側で前記ＤＣ中間回路（１０）に接続される、複数のＤＣ／ＤＣ変換器（７）と、
複数の入力部（２）であって、いずれも前記ＤＣ／ＤＣ変換器（７）のうちの１つに通じる入力部（２）と、
前記入力部（２）と前記ＤＣ／ＤＣ変換器との間に接続されるＥＭＣフィルタ（９）と、
を備えるインバータ（１）において、
前記ＥＭＣフィルタ（９）が、
前記入力部（２）と前記ＤＣ／ＤＣ変換器（７）との間のすべての電流供給線路（５、６）のチョーク（１５、１６）と、
前記入力部（２）と前記ＤＣ／ＤＣ変換器（７）との間の前記すべての電流供給線路（５、６）から接地まで通じるフィルタキャパシタ（１９、２０）と、を備えるとともに、
前記すべての電流供給線路（５、６）が、少なくとも２つの入力部（２）のそれぞれの一方の端子から、関連するＤＣ／ＤＣ変換器（７）の一方の端子まで通じる、それぞれの専用電流供給線路（５）に加えて、少なくとも２つの入力部（２）のそれぞれの他方の端子から、前記関連するＤＣ／ＤＣ変換器（７）の他方の端子まで通じる、共通の電流供給線路（６）を備え、
すべての電流供給線路（５、６）の前記チョーク（１５、１６）が、前記少なくとも２つの入力部（２）から、電流補償チョーク（１７）の共通のコア（１８）上のチョーク巻線（２５、２６）によって形成されることを特徴とするインバータ（１）。
【請求項２】
請求項１に記載のインバータ（１）において、前記チョーク（１５、１６）がいずれも、０．２ｍＨから４．０ｍＨまでのインダクタンスを備えることを特徴とするインバータ（１）。
【請求項３】
請求項１または２に記載のインバータ（１）において、前記共通の電流供給線路（６）の前記チョーク（１６）に対する前記チョーク巻線（２６）が、ｎが前記少なくとも２つの入力部（２）の数である場合に、前記少なくとも２つの入力部（２）の前記専用電流供給線路（５）のうちの１つの中の、それぞれのチョーク（１５）に対する前記チョーク巻線（２５）のｎ倍の大きさの線断面を備えることを特徴とするインバータ（１）。
【請求項４】
請求項３に記載のインバータ（１）において、前記共通の電流供給線路（６）の前記チョーク（１６）に対する、前記チョーク巻線（２６）の前記ｎ倍の大きさの線断面が、個々の太線の導体の線断面であることを特徴とするインバータ（１）。
【請求項５】
請求項３に記載のインバータ（１）において、前記共通の電流供給線路（６）の前記チョーク（１６）に対する、前記チョーク巻線（２６）の前記ｎ倍の大きさの線断面が、複数の並行誘導線導体の合計線断面であることを特徴とするインバータ（１）。
【請求項６】
請求項１〜５のいずれか１項に記載のインバータ（１）において、前記チョーク巻線（２５、２６）が、前記共通のコア（１８）上に対称的に巻き付けられることを特徴とするインバータ（１）。
【請求項７】
請求項１〜６のいずれか１項に記載のインバータ（１）において、前記共通のコア（１８）が、スロットが設けられていないコアであることを特徴とするインバータ（１）。
【請求項８】
請求項１〜７のいずれか１項に記載のインバータ（１）において、前記共通のコア（１８）が、前記インバータ（１）のハウジング内に垂直に配置されるとともに、前記共通の電流供給線路（６）の前記チョーク（１６）に対する前記チョーク巻線（２６）が、前記専用電流供給線路（５）のうちの１つの中のそれぞれのチョーク（１５）に対する前記チョーク巻線（２５）と比較してより容易に、前記電流補償チョーク（１７）のための冷却用空気流に到達可能な部位に配置されることを特徴とするインバータ（１）。
【請求項９】
請求項１〜８のいずれか１項に記載のインバータ（１）において、前記チョーク（２５、２６）と前記ＤＣ／ＤＣ変換器（７）との間の前記フィルタキャパシタ（１９）が、接地（ＰＥ）に通じることを特徴とするインバータ（１）。
【請求項１０】
請求項９に記載のインバータ（１）において、前記フィルタキャパシタ（１９）が、直列に接続された抵抗器（２３）によって接地（ＰＥ）まで減衰されることを特徴とするインバータ（１）。
【請求項１１】
請求項１０に記載のインバータ（１）において、前記フィルタキャパシタ（１９）の静電容量が少なくとも４７ｎＦである場合に、前記抵抗器（２３）が、０．５から１０オームまでのオーム抵抗を有することを特徴とするインバータ（１）。
【請求項１２】
請求項９〜１１のいずれか１項に記載のインバータ（１）において、前記入力部（２）と、前記チョーク（１５、１６）との間のさらなるフィルタキャパシタ（２０）が、接地（ＰＥ）に通じるとともに、前記さらなるフィルタキャパシタ（２０）が、前記チョーク（１５、１６）と前記ＤＣ／ＤＣ変換器（７）との間を、接地（ＰＥ）へと通じる、前記フィルタキャパシタ（１９）よりも小さい静電容量を備え、かつ、減衰されないことを特徴とするインバータ（１）。
【請求項１３】
請求項１２に記載のインバータ（１）において、前記さらなるフィルタキャパシタ（２０）が、０．２ｎＦから３３ｎＦまでの静電容量を備えることを特徴とするインバータ（１）。
【請求項１４】
請求項１〜１３のいずれか１項に記載のインバータ（１）において、前記少なくとも２つの入力部（２）が、前記少なくとも２つの入力部（２）の専用電流供給線路（５）間を配線で接続することによって並列に接続される場合に、前記関連するＤＣ／ＤＣ変換器（７）の切り換えを同期して制御する制御装置（１３）が設けられることを特徴とするインバータ（１）。
【請求項１５】
請求項１４に記載のインバータ（１）の使用において、前記少なくとも２つの入力部（２）が、前記少なくとも２つの入力部（２）の専用電流供給線路（５）間を配線で接続することによって並列に接続される場合に、前記関連するＤＣ／ＤＣ変換器（７）の前記切り換えが、同期して制御されることを特徴とするインバータ（１）の使用。
【発明の詳細な説明】
【技術分野】
【０００１】
本発明は、独立請求項１の前段の特徴を備えるインバータに関する。この種類のインバータは、複数の入力部および複数のＤＣ／ＤＣ変換器を有するため、複数の電流源を接続し、様々な電圧でこの種類のインバータを動作させることが可能である。これにより、一例として、インバータに接続される複数の太陽光発電機の場合には、相互に独立したＭＰＰ追従プロセスを実行することが可能になる。その場合には、この種類のインバータは、マルチストリング型インバータとも評される。
【０００２】
入力部と、関連するＤＣ／ＤＣ変換器との間に設けられるＥＭＣフィルタの場合には、インバータ領域からの干渉は、接続された電流源に結合するのを防止される。したがって、特に接続された太陽光発電機の場合には、表面積が大きいため、干渉が入結合された場合には、前記太陽光発電機が電磁波の送信アンテナとして動作する危険がある。そのような電磁波の放射を回避するために、ＥＭＣフィルタが、対応する規格（例えば：ＣＥ基準、ＦＣＣ基準）に規定されているＥＭＣ限界値に適合するように調整されている。インバータがこれらの限界値に準拠していると、電磁波の放射が十分に低減されていると考えられている。
【背景技術】
【０００３】
抑制されるべき干渉に加えて直流が流れているＥＭＣフィルタのチョークの場合には、往路導体および関連する復路導体では、チョークが直流に対して、２つのチョークを通って流れている直流に起因するコアの磁化を除去するように、共通のコア上に巻き付けられているという事実によって、直流が前記ＥＭＣフィルタのコアを飽和するのを防ぐことが知られている。チョークの一方の側で、同相モード干渉が、往路導体および復路導体に入結合される結果、対照的に、コアは、ゼロから始まって可変的に磁化され、それに応じて減衰される。共通のコア上に複数のチョーク巻線を有するこの種類のチョークは、ひとまとめにして、電流補償チョークと評される。
【０００４】
例えば、本出願人の製品であるＳｕｎｎｙ  Ｂｏｙ  ４２００  ＴＬ  ＨＣおよびＳｕｎｎｙ  Ｂｏｙ  ５０００  ＴＬ  ＨＣは、いずれも、マルチストリング型インバータの複数の入力部のうちの１つから関連するＤＣ／ＤＣ変換器まで通じる２つの線路に対して電流補償チョークを使用することが知られている。しかしながら、各入力部に対する電流補償チョークを有するこの種類のマルチストリング型インバータのＥＭＣフィルタは、その全体が、一方で、そのチョークに起因する相当量の質量を備えると同時に、その濾過効率は、マルチストリング型インバータの種々の動作モードすべてにわたり最適ではない。
【０００５】
これまでの典型的なマルチストリング型インバータの動作モードは、マルチストリング型インバータに接続される個々の太陽光発電機のＭＰＰ追従制御を、相互に独立して行うことを特徴としている。しかしながら、さらに、大型化された太陽光発電システム内でマルチストリング型インバータを使用することに関連して、これまで無関係であった動作モードもまた、注目されるようになった。この動作モードは、マルチストリング型インバータの少なくとも２つのＤＣ入力部が、堅固に並列接続されることを特徴とする。並列接続されたＤＣ入力部に接続される太陽光発電機は、それゆえ動作時には、均一なＭＰＰ追従制御を備える単一の太陽光発電機として動作される。したがって、マルチストリング型インバータの複数のＤＣ入力部が配線で固定された動作モードもまた、大型化された太陽光発電システム内で使用することも可能なマルチストリング型インバータの、考えられ得る動作モードに含まれる。
【０００６】
種々の太陽光発電機を堅固に結合することは、既に当技術分野において、しかもマルチストリング型インバータの種々の入力部をブリッジ接続することによって実施可能であり、これは、配線で固定された入力部間の、対応するＤＣ／ＤＣ変換器に一方側で通じ、下流側に接続されたＤＣ／ＡＣ変換器の入力側に並列接続されたＤＣ中間回路に他方側で通じている。この場合には、ＤＣ／ＤＣ変換器が少しでも不均衡であると、入力部のうちの１つから入力部の別の１つに直流の還流を引き起こす可能性があり、結果として、これらの入力部に割り当てられた２つの電流補償チョークのコアは、直流の分布が片寄っていることにより、すでに飽和している。このため、これらの種々の太陽光発電機は、高周波同相モード干渉を減衰させるという、その意図する目的には適さない。
【０００７】
入力側ＥＭＣフィルタを有するインバータ用の過電圧保護装置に関連する欧州特許出願公開第２２７６１３６Ａ１号明細書は、ＤＣ入力段を有するインバータについて記載している。ＤＣ入力段は、２つの太陽光発電機から通じる４つの給電線路すべてにおいて干渉抑制インダクタンスを有するＥＭＣフィルタを含み、ＤＣ入力段では、各太陽光発電機につき２つの給電線路の干渉抑制インダクタンスが、電流補償チョークに磁気的に結合される。さらに、ＥＭＣフィルタは、一方側に太陽光発電機のそれぞれの２つの給電線路の間に設けられる干渉抑制静電容量と、を備え、他方側に給電線路と、接地と、を備える。太陽光発電機から見てＥＭＣフィルタの上流は、過電圧導体が設けられて、それぞれの給電線路への一過性の過電圧を、他の給電線路または接地のうちの１つに対して偏向する。太陽光発電機から見てＥＭＣフィルタの下流は、さらに、二次過電圧保護部が提供されて、一次過電圧保護部があるにもかかわらずＥＭＣフィルタの下流側にまで通過する一過性の過電圧、またはそれどころか、発振を起こす方法で励起されたＥＭＣフィルタによってさらに増幅された一過性の過電圧から、インバータの下流側部分を保護する。二次過電圧保護部は、過電圧導体を備え、これらの過電圧導体は、一方側で、２つの太陽光発電機のそれぞれの専用の電流供給線路間に接続され、他方側で、接地に接続され、および一方側で、ＥＭＣフィルタの下流側にまとめられた、２つの太陽光発電機の電流供給線路に接続され、他方側で、接地に接続されている。電流供給線路はすべて、ＤＣ入力段のＤＣ／ＤＣ変換器に電流を供給する。さらに、バッファ静電容量が、ＤＣ入力段に設けられる。
【０００８】
欧州特許出願公開第１２０９７０４Ａ１号明細書は、２つの電圧方式の電気回路内の高周波干渉信号を抑制するための強磁性材料から具体化されたコアを有する電流補償チョークを開示している。電気回路は、少なくとも２つの切換回路を備え、切換回路は共通の基準電流路と、それぞれ専用の電流路とを有する。２つの切換回路では、それぞれの専用電流路と共通の基準電流路との間で異なる電圧が優勢である。２つの切換回路は、基準電流路だけを共通で有する。チョークは、基準電流路に配置され、切換回路の専用電流路および前記チョークは、いずれも、共通のコア上の巻線の数と等しい数のチョーク巻線によって具体化される。専用電流路を経由して個々の切換回路を順方向および共通の基準電流路を経由して逆方向に流れる電流により、相互に補償する共通のコアの磁化が生じる。このように複合的に電流補償され、共通の基準電流路用に１つのチョーク巻線を備えるチョークによって、いずれも、２つの完全に別個の切換回路用に設けられる２つのチョーク巻線を有する２つの電流補償チョークは置き換えられる。複合的に電流補償されるチョークのコアは、好ましくは、３つのチョーク巻線が１２０°の間隔をあけて配置された環状のコアである。欧州特許出願公開第１２０９７０４Ａ１号明細書の図に基づいて、複数の出力部を有するＤＣ／ＤＣ変換器と、種々の光源との間に３つのチョーク巻線を有する公知の電流補償チョークを使用することが知られている。この種類の回路は、特に、自動車に搭載された２電圧の電源で使用される。これは、かなり少量の電気出力の範囲での使用であり、請求項１の前段の特徴を備えるインバータの場合において、ＥＭＣフィルタを通って流れる量よりも少量の電流の範囲での使用でもある。数キロワットから数十キロワッまでの典型的な電気配線および１０Ａから５０Ａの間の範囲の電流が、請求項１の前段の特徴を備えるインバータのそれぞれの入力部を経由して流れる。さらに、公知の回路は、接地へのＥＭＣフィルタには一般的な干渉抑制キャパシタを備えていない。
【０００９】
３相交流用のＥＭＣフィルタの共通のコア上に、合計３つの巻線を有する電流補償チョークを使用することが知られており、共通のコアでは、交流電流のそれぞれの相が、チョーク巻線に割り当てられている。
【００１０】
米国特許出願公開第２０１０／０２０７５６０Ａ１号明細書から、電気自動車の場合では、変換器とインバータとの間で線路Ｐ、ＣおよびＮを、１つまたは複数の磁性体環状コアを通して誘導することが知られている。環状コアが、１つの変換器と１つのインバータとの間のインターフェースの一部となっている。平滑キャパシタが、１つまたは複数の環状コアの両側の線路間に接続されている。１つまたは複数の磁性体環状コアが、実効共振周波数を、例えば信号装置からの干渉がない周波数に置き換えさせる。同時に、１つまたは複数の環状コアは、臨界周波数になる場合には、誘導性を増加させて、したがって、この周波数で発生するノイズの量を低減する。
【００１１】
独国特許出願公開第１００１９４６１Ａ１号明細書は、少なくとも一部分が磁性体で囲まれ、チョークおよびキャパシタ機能を形成する干渉抑制フィルタ回路積層体を備える干渉抑制フィルタを開示している。順々に積み重ねられた、相互に絶縁されたそれぞれの干渉抑制フィルタ回路は、積層して設けられ、前記回路のそれぞれが、順々に積み重ねられた、複数の、相互に絶縁されたＬＣ複合部材を備える。これらのＬＣ複合部材は、いずれも、主コイルと、接地コイルと、を部分的に備え、これらは両方とも実質的に矩形断面を有する螺旋状であり、介在する複数の長方形の誘電体ディスクによって互いに固定される。それぞれの干渉抑制フィルタ回路では、主回路を形成するために、関連するＬＣ複合部材の主コイルが、その内側端部で互いに電気的に接続される一方、接地回路を形成するために、ＬＣ複合部材の接地コイルが、その内側端部で電気的に接続される。干渉抑制フィルタ回路は、フィルタとして使用するための同相モードのチョークコイルと、接地キャパシタと、を備えるフィルタを形成する。３相フィルタを生成するために、３つの干渉抑制フィルタを組み合わせることが可能である。公知の干渉抑制フィルタの場合には、干渉信号がそれぞれの主コイルから接地コイルに送信されると、ある一定の条件の下で、インダクタンスと静電容量との間に共振が発生する可能性があり、干渉電圧が増加する。そのような共振の発生を回避するために、抵抗器が、接地コイルと接地線との間に設けられる。あるいはこの代わりに、接地コイルそれ自体が、別個の抵抗器が不要になる、ある程度の抵抗値を備えている。
【発明の概要】
【００１２】
本発明の目的は、独立請求項１の前段の特徴を備え、かつ、その質量およびマルチストリング型インバータのすべての動作モードの効率レベルに関して最適化されるＥＭＣフィルタを備えるインバータを提供することである。
【課題を解決するための手段】
【００１３】
本発明の目的は、独立請求項１の特徴に従って達成される。本発明に従う好ましい実施形態を、従属請求項で開示する。同等の請求項１５は、その一部分が本発明に従っており、本発明に従うインバータの使用を対象にしている。
【００１４】
本発明は、ＤＣ／ＡＣ変換器と、ＤＣ／ＡＣ変換器のＤＣ入力側のＤＣ中間回路と、複数のＤＣ／ＤＣ変換器であって、互いに並列に、出力側でＤＣ中間回路に接続される複数のＤＣ／ＤＣ変換器と、複数の入力部であって、いずれもＤＣ／ＤＣ変換器のうちの１つに通じる複数の入力部と、入力部とＤＣ／ＤＣ変換器との間に接続されるＥＭＣフィルタと、を備えるインバータであって、ＥＭＣフィルタが、入力部とＤＣ／ＤＣ変換器との間のすべての電流供給線路のチョークと、入力部とＤＣ／ＤＣ変換器との間のすべての電流供給線路からアースまで通じるフィルタキャパシタと、を備えるインバータに関する。本発明に従えば、少なくとも２つの入力部から、いずれも専用電流供給線路に加えて、共通の電流供給線路が、２つの関連するＤＣ／ＤＣ変換器まで通じるとともに、少なくとも２つの入力部からのすべての電流供給線路のチョークが、電流補償チョークの共通のコア上のチョーク巻線によって形成される。
【００１５】
本発明に従うインバータであって、複数の入力部を有するインバータの場合には、ｎ個の入力部に対してｎ＋１個のチョーク巻線を備える単一の電流補償チョークの使用は、一方では材料にかかる出費、およびしたがって、入力部からの電流供給線路のチョークに要する費用全体をも制限するのに役立つ。他方では、このように複合的に電流補償されたチョークを使用することによって、ブリッジ接続された入力部の場合には、関連するＤＣ／ＤＣ変換器が不均衡になった結果、入力部間に還流が再分配されても、コアの磁化性能を急速に消耗させる、チョークのコアの不必要な磁化が発生しないようにすることができる。共通の電流補償チョークを経由して関連するＤＣ／ＤＣ変換器に接続されるすべての入力部を、任意選択の部分量または全部、抑制されるべき干渉が存在しない場合でさえも、共通の電流補償チョークのコアの磁化が発生する危険性なしに、むしろブリッジ接続することができる。マルチストリング型インバータの場合に通常であるような、電源出力が数キロワットから数十キロワットまでのかなり大量であり、電流が通常は１０Ａから５０Ａの間である、共通の電流供給線路の場合には、これらのｎ倍にさえなる電流が、個々のチョーク巻線を通って流れる場合にもまた、このことが当てはまる。したがって、これらの大量の電源出力、さらに的確には大量の電源出力に相当する直流であって、通常モードの電流として複合的電流補償チョークを通って流れる直流は、ＥＭＣフィルタの機能を損なわない。ＥＭＣフィルタは、そのチョークのインダクタンスおよびそのフィルタキャパシタの静電容量に関して、要求されるＥＭＣ限界値を維持するために、特にＤＣ／ＤＣ変換器およびＤＣ／ＡＣ変換器の領域から生じる可能性がある、同相モード干渉に適合するように調整される。
【００１６】
本発明に従うインバータの場合の個々の電流補償チョークの利点は、入力部および、前記入力部のために設けられたフィルタ要素の不必要な結合を防ぐためには、専用のＥＭＣフィルタを、電流源を接続することが可能なそれぞれの入力部に対して設けることが必要であるという原則から、本発明が逸脱しているゆえにのみ達成される。個々の入力部のフィルタ要素が結合した結果として、追加の不必要な共振周波数が発生する。入力部の結合は、一例として、太陽光発電機が入力部に接続され、前記太陽光発電機が、その表面積が大きいことが原因で相当量のアンテナ効果を有する場合には、特に重要である。したがって、入力部は、かなりの程度まで干渉信号を受信し、入力部の結合によってさらに増幅された前記干渉信号を発信する傾向がある。本発明は、これらの結合の影響を、有害な影響がない量まで制限することが可能であり、その結果特に本発明に従うインバータの場合には、単一の電流補償チョークの利点もまた使用可能であるという知見に基づいている。
【００１７】
さらにまた、２つの切換回路であって、共通の基準電流路と、いずれも専用の電流路と、を備える２つの切換回路からの電流に対して公知の電流補償チョークを基点とすると、本発明の方法に支障をきたす。この基点の場合にはＥＭＣフィルタを形成するために、接地に対する干渉抑制静電容量が補足されなければならないが、２つの切換回路間の不必要な高周波交流、すなわちこの場合では、インバータの様々な入力部に接続される電流源のための電流路を開く。単に誘導するだけの単純な干渉抑制手段の場合とは異なり、干渉抑制キャパシタが同時に存在する場合の各関係は、したがって相当複雑化される。
【００１８】
本発明に従うインバータの場合において単一の電流補償チョークを使用する根本的な複雑さもまた、２つを超える線路がインターフェースとしての電流補償チョークを通って常に２つの終端位置間だけを誘導される公知の回路の比ではない。これらの回路は、それでもなお、配線で固定されたＤＣ入力を有する本発明に従うインバータの動作モードに対応する。対照的に、本発明に従うインバータは、そのさらなる動作モード、すなわちマルチストリング型インバータの従来のマルチストリング動作において実効的なＥＭＣフィルタもまた備える。マルチストリング動作の場合には、別個の電流源への、それに応じて別個の電流源からの複数の電流を濾過することが必要である。
【００１９】
本発明に従うインバータのＥＭＣフィルタのチョークのインダクタンスは、通常０．２ｍＨから４．０ｍＨまでの範囲にある。
【００２０】
少なくとも２つの入力部の共通の電流供給線路のチョークに対するチョーク巻線は、本発明に従うインバータの場合には、好ましくは、少なくとも２つの入力部の専用電流供給線路のうちの１つの中のそれぞれのチョークに対するチョーク巻線のｎ倍の大きさの線断面を有する。前記ｎは、少なくとも２つの入力部の数である。様々なチョーク巻線の線断面の両端間の電流密度は、したがって、少なくともほぼ同一である。これは、インバータの動作時に、違いの大きな電流が、少なくとも２つの入力部の個々の専用電流供給線路を通って流れる可能性も除外していない。したがって特にそれぞれの入力部がブリッジ接続されない場合には、様々な電流密度が生じる可能性がある。
【００２１】
共通の電流供給線路のチョークに対するチョーク巻線のｎ倍の大きさの線断面は、個々の線導体の線断面であってもよいし、または複数の平行誘導線導体の共通の線断面であってもまたよい。後者の場合では、コアを巻きつける際に小さな半径を形成しやすくなる。
【００２２】
本発明に従うインバータの電流補償チョークの共通のコアのまわりに対称的にチョーク巻線が巻き付けられることが好適である。これは、個々の入力部の専用電流供給線路のチョークに対するすべてのチョーク巻線が、少なくとも２つの入力部の共通の電流供給線路のチョークのチョーク巻線に同一の磁気結合をした状態で可能な限り同一の相対配置に配置されることを意味する。これは、電流補償チョークを通る任意の通常モードの電流に関して所望の完全な電流補償を得るための必要条件である。
【００２３】
入力部の数が２つであれば、コアは環状コアであってもよい。また、専用電流供給線路のうちの１つの中のそれぞれのチョークに対するチョーク巻線は、共通の電流供給線路のチョークに対するチョーク巻線に関して前記環状コア上に対称的に巻き付けられる。環状コアは円形状であってもよいし、楕円形状であってもまたよい。２つを超える入力部、したがって多数のチョークが専用電流供給線路にある場合であっても、チョークのそのような相称性を達成するために、例えば、共通の電流供給線路のチョークに対するチョーク巻線が巻き付けられる中央連結片を有するコアのような、他のコア形状、および円形状に配置される複数の補助連結片であって、いずれも専用電流供給線路のうちの１つの中のチョークに対するチョーク巻線が巻き付けられる複数の補助連結片を使用することも可能である。
【００２４】
個々のチョークのインダクタンスが、コアの質量に対して可能な限り高くなるように、本発明に従うインバータの電流補償チョークの共通のコアには、一般にスロットは設けられない。
【００２５】
本発明に従うインバータのＥＭＣフィルタの場合には、少なくとも、チョークと、電流供給線路へのＤＣ／ＤＣ変換器との間に接続されたフィルタキャパシタが設けられ、そこから接地へと誘導される。これらのフィルタキャパシタは、ＥＭＣフィルタには通常の方法ではないが、この場合には好適な方法で直列接続された抵抗器によって減衰される。基本的には、これは、フィルタキャパシタのフィルタ効率を制限することになるので、フィルタキャパシタは減衰されない。しかしながら、本発明に従うインバータの場合には、ＥＭＣフィルタを機能させるためにフィルタキャパシタを減衰させることが、換言すれば、インバータの電磁適合性を確保することが、まさに必要不可欠な前提条件である。その理由は、本発明に従うインバータの複合的電流補償チョークの場合には、寄生漂遊磁界および、これに関連して個々のチョークが結合した結果、不必要な共振が発生する可能性があるということである。これらの共振は、本発明に従うインバータの電磁適合性を危険にさらす可能性がある。しかしながら、フィルタキャパシタの直列制動により、その可能性を制動し、効果的に抑制する。したがって、通常ＥＭＣフィルタの機能にとって逆効果であり、ＥＭＣフィルタの濾過性能を減衰させるオーム抵抗が、本発明の場合には、共振を抑制するために適切に使用され、さもなければ、インバータの電磁適合性を達成することができないことが原因で、マルチストリング型インバータの入力部がブリッジ接続された場合には利点があるにもかかわらず、多くの場合で、複合的電流補償チョークを使用することができなくなってしまう。
【００２６】
本発明に従うインバータの場合には、フィルタキャパシタに直列接続された抵抗器が一般に必要である限りにおいて、ＥＭＣフィルタの基本的な機能を確保するために、前記抵抗器を小型にしておくことが依然として必要である。一般的に、フィルタキャパシタの静電容量が通常少なくとも４７ｎＦである場合には、抵抗器のオーム抵抗が０．５から１０．０オーム、多くの場合１から５オームであれば、最適機能が達成される。
【００２７】
本発明に従うインバータのＥＭＣフィルタは、さらなるフィルタキャパシタもまた備えることができる。したがって、入力部とチョークとの間にさらなるフィルタキャパシタが、電流供給線路から接地に通じている場合がある。このとき、これらのさらなるフィルタキャパシタの容量は、チョークとＤＣ／ＤＣ変換器との間を接地へと通じるフィルタキャパシタよりも小さいのが普通である。加えて、それらは減衰されない。さらなるフィルタキャパシタは、特定の容量０．２〜３３ｎＦを備えてもよい。また、それらは、チョークのもう一方の側のフィルタキャパシタの大きさの最大でも約１／２の大きさしかなく、多くの場合で最大でも１／１０の大きさしかなく、そしてまた多くの場合には１／２０の大きさしかない。
【００２８】
さらに、さらなるフィルタキャパシタは、それぞれの入力部の２つの電流供給線路間に、そして実際には、これらの電流供給線路のチョークの上流および下流の両方に、ＥＭＣフィルタを備えることができる。これらの追加のフィルタキャパシタは主として、電流供給線路間の通常モードの干渉に及ぼす濾過効果を有する。
【００２９】
本発明に従うインバータの場合には、共通の複合的電流補償チョークを経由して関連するＤＣ／ＤＣ変換器に接続される入力部が、ブリッジ接続されていると、対応するＤＣ／ＤＣ変換器が同期して制御される場合には、所望のインバータの電磁適合性を維持するのに役立つと実証されている。このようにして、高周波（寄生）補償電流が、個々のＤＣ／ＤＣ変換器間を行き来しないようにする。これらの補償電流は、さもなければＤＣ／ＤＣ変換器での切り換え処理を損なうことになり、損なわれた切り換え処理により、通常スペクトル成分が増加するだけでなく、より的確には特に、さらに大きな妨害作用を有するスペクトル成分が増加し、それに対して追加のフィルタを設けることが必要になるであろう。それぞれのＤＣ／ＤＣ変換器の切り換えを同期して制御することにより、そのような追加のフィルタを設ける必要をなくすことができる。この同期制御を達成するために、適切に本発明に従うインバータを制御することが可能である。
【００３０】
基本的に、インバータの複数の並列接続されたＤＣ／ＤＣ変換器は、好ましくは前記変換器によって共通的に出力される電流の信号リップルを低減させるために互いに対して相殺させる方法で制御される。本発明に従うインバータの場合には、故意にこれを省略して、単一の電流補償チョークの利点を、ＥＭＣフィルタの機能を損なわずに使用することができるように、より大きな電流リップルを受け入れる。
【００３１】
電流補償チョークの共通のコアは、冷却、特にチョークの対流冷却を促進するために、好ましくはインバータのハウジング内に垂直に配置される。専用電流供給線路のうちの１つの中のそれぞれのチョークに対するチョーク巻線と比較してより容易に、電流補償チョークのための冷却用空気流に到達可能な部位に、共通の電流供給線路のチョークに対するチョーク巻線を配置すると好都合である。なぜなら、本発明に従うインバータの動作時には、電流補償チョークの最も温度の高い地点がこのチョーク巻線の領域で形成されるからである。
【００３２】
本発明の有利なさらなる発展形態は、請求項、明細書および図面において明白である。いくつかの特徴および複数の特徴の組み合わせの上述した利点は、単なる例示であって、択一的に、または累積的に使用可能であり、本発明に従う実施形態によって、利点を達成しなければならないというのではない。その結果添付の特許請求の範囲の主題を変更することなく、出願明細書および特許明細書の原本の開示内容に関して以下のことが当てはまる。さらなる特徴は、図面において、特に、複数のコンポーネントの図示された形状と互いに対する相対的な寸法、およびその相対的な配置と動作接続形態において明白である。選択された請求項への戻り参照から要件を緩和することによって、本発明の様々な実施形態の特徴または様々な請求項の特徴を組み合わることも同様に可能であり、本明細書によって示唆されている。このことは、個々の図面に示され、または本明細書に言及されたような特徴にも適用される。これらの特徴を、様々な請求項の特徴と組み合わせることもまた可能である。請求項で言及された本発明の特徴のさらなる実施形態について、省略することも同様に可能である。
【００３３】
請求項および本明細書で言及された特徴は、それらの数に関して、正確にこの数または、言及された数よりも大きな数を規定するように理解されるものとし、副詞「少なくとも」を使用してはっきりと表現する必要はない。したがって、一例として、１つの要素が言及される場合には、これは正確に１つの要素であるか、または２つの要素もしくは２つを超える数の要素を規定することを意味すると理解されるものとする。これらの特徴は、他の特徴によって補足されてもよいし、もしくはそれぞれの産物を産生する単一の特徴であってもよい。
【００３４】
各請求項で使用される参照数字は、請求項によって保護される主題の範囲の限定を意味するものではない。前記参照数字は、単に各請求項をより理解し易くする目的を果たすためだけのものである。
【００３５】
添付の図面を参照して、以下に本発明をさらに説明および記述する。
【図面の簡単な説明】
【００３６】
【図１】入力側で接続されている２つの太陽光発電機と、出力側で接続されている交流電流網と、を有する本発明に従うインバータの第１の実施形態を概略的に示す回路図である。
【図２】個々のチョーク巻線の周囲の漂遊磁界が不均衡になった結果発生する共振を説明するために、共通のコア上に３つのチョーク巻線を有する複合的電流補償チョークを個別に、かつ概略的に示す。
【図３】図１に対応するインバータ上のＥＭＣ計測を示し、ここでは太陽光発電機が、１つの入力部にのみ接続されている。
【図４】インバータに接続されている３つの入力部および３つの太陽光発電機を有するインバータのさらなる実施形態を示す。
【発明を実施するための形態】
【００３７】
図面の説明
図１は、２つの入力部２および出力部３を有するインバータ１を示す。入力部２は、インバータ１の直流入力側に位置し、直流源を接続するために設けられる。図１は、入力部２のそれぞれに接続された太陽光発電機４を示す。２つの電流供給線路５および６が、各入力部２からこの入力部２に割り当てられているＤＣ／ＤＣ変換器７に延びている。電流供給線路５は、それぞれの入力部２の専用電流供給線路であり、一方電流供給線路６は、すべての入力部２からともに、すべてのＤＣ／ＤＣ変換器７まで延びて、ＥＭＣフィルタ９の下流にある地点８ではじめて、それらは個々のＤＣ／ＤＣ変換器７に枝分かれする。ＥＭＣフィルタ９は、入力部２と、すべての電流供給線路５および６用のＤＣ／ＤＣ変換器７との間に設けられるが、これについては以下のパラグラフで詳述する。ＤＣ／ＤＣ変換器７は、出力側で、ＤＣ／ＡＣ変換器１１の入力側の直流中間回路１０に並列に接続される。ＤＣ／ＡＣ変換器１１はその一部分が、任意選択で介在する、（図示されない）１つまたは複数のさらなるフィルタ、変圧器、保護装置などによって出力部３に接続されている。インバータ１は、出力部３を経由して、太陽光発電機４から交流電流網１２へと電気エネルギーを供給する。図１は、３相ＤＣ／ＡＣ変換器１１を示し、ＤＣ／ＡＣ変換器１１の出力部３は、交流電流網１２の３相へと電力を供給する。しかしながら、本発明を、１相ＤＣ／ＡＣ変換器１１を有するインバータ１で使用することもできる。交流電流網１２へと供給される電気エネルギーを最大限にするために、インバータ１を使用して、個々の太陽光発電機４のそれぞれについて独立した電力最大点（ＭＰＰ：ｍａｘｉｍｕｍ  ｐｏｗｅｒ  ｐｏｉｎｔ）追従制御を実行することが可能である。この目的のために、ＤＣ／ＤＣ変換器７は、太陽光発電機４が最適電圧で動作する方法で、制御装置１３によって制御される。その結果、２つの入力部２の両端間で異なる電圧が優勢であることが可能である。ＤＣ／ＤＣ変換器７が別々に動作可能であることにより、インバータ１は、いわゆるマルチストリング型インバータである。しかしながら、２つの入力部２をインバータ１の外部で、または前記インバータ１の内部でブリッジ接続すること、すなわち、破線で図示された任意選択の電気的接続１４によって示される配線で固定することも可能である。２つのＤＣ／ＤＣ変換器７は、出力側で直流中間回路１０に並列に接続されているだけでなく、入力側でブリッジ接続された入力部２にも並列に接続されている。この場合、均一に利用できるように、したがって均一な負荷が得られるように、制御装置１３は、ＤＣ／ＤＣ変換器７を同期して制御し、理想的に、２つのＤＣ／ＤＣ変換器７を経由して流れる電流の均衡を保つ。それにもかかわらず、単にコンポーネント間の避けられない不均衡の結果、線路５のうちの１つを経由して、ＤＣ／ＤＣ変換器７のうちの１つへと順方向に流れている電流が、他のＤＣ／ＤＣ変換器７を経由して地点８へと逆流することが起こり得る。しかしながら、２つのＤＣ／ＤＣ変換器７が、地点８で互いと、電流供給線路６と、に接続されているので、ＥＭＣフィルタ９の領域でのこの対称性の欠如による影響はない。
【００３８】
ＥＭＣフィルタ９は、電流供給線路５および６に、チョーク１５と、チョーク１６と、を備える。以下、これらのチョーク１５および１６、ならびに前記チョークによって供給されるインダクタンスＬ１、Ｌ２、Ｌ３もまた参照する。チョーク１５および１６は、これらがともに複合的電流補償チョーク１７を形成するように、磁気的に結合される。換言すれば、チョーク１５を通って順方向に流れる電流により生じる、複合的電流補償チョーク１７の共通のコア１８の磁化が、チョーク１６を通って逆方向に流れる電流によって補償される。通常モードの電流として太陽光発電機４から電流補償チョーク１７を通って流れる直流電力は、コア１８の磁化力を損なわず、対照的に、同相モード干渉は、ＥＭＣフィルタ９を使用して、特にＤＣ／ＤＣ変換器７およびＤＣ／ＡＣ変換器１１の領域から減衰されなければならない。
【００３９】
チョーク１７に加えて、ＥＭＣフィルタ９は、フィルタキャパシタ１９〜２２を備える。フィルタキャパシタ１９は、チョーク１７と、地電位（すなわち接地）ＰＥに対するＤＣ／ＤＣ変換器７と、の間の電流供給線路５および６からの枝部に設けられる。これらのフィルタキャパシタ１９は、抵抗器２３と直列接続されている。したがってフィルタキャパシタ１９は、実際には、ＥＭＣフィルタにとっては従来の配置で設けられている。しかしながら、抵抗器２３がいずれも、数オームの単一のオーム抵抗器を１つだけしか備えていない場合であっても、抵抗器２３を使用してのキャパシタの直列制動は、むしろ珍しい。抵抗器２３の重要性を、図２および図３に関連して詳細に論考する。フィルタキャパシタ２０もまた、電流供給線路５および６から接地ＰＥまで通じている。しかしながら、それらは、チョーク１７の入力側、すなわち前記チョークと入力部２との間に設けられる。それに加えて、フィルタキャパシタ２０の静電容量は通常、フィルタキャパシタ１９の静電容量の１０分の１以下の量しかない。フィルタキャパシタ２１は、チョーク１７の入力側で接続され、フィルタキャパシタ２２は、チョーク１７の出力側で電流供給線路５と６との間に接続される。抵抗器２３以外には、ＥＭＣフィルタ９のフィルタキャパシタ１９〜２２の全体的な配置は、基本的に珍しくはない。しかしながら、この場合には、フィルタキャパシタ１９〜２２の配置は、２つの入力部２用の共通の電流供給線路６に適合するように調整されている。しかしながら、実施形態が通常と異なるのは、共通の電流供給線路６にチョーク１６を備える複数の電流補償チョーク１７に加えて、抵抗器２３がフィルタキャパシタ１９の直列制動に使用されることである。
【００４０】
図２は、共通のコア１８上の電流供給線路５および６に、チョーク１５および１６を形成するためのチョーク巻線２５および２６を有する電流補償チョーク１７の、特定の実施形態を示す。図２は、チョーク巻線２６を太線で図示することによって、前記チョーク巻線が、チョーク巻線２５の２倍の大きさの線断面を有することを表示している。これは、２つのチョーク巻線２５を通って順方向に流れている電流の合計が、チョーク巻線２６を通って逆流するという事実を考慮に入れている。コア１８は、一例として、巻き付けられて帯状コアを形成する、ナノ結晶性強磁性金属板または強磁性材料のような磁化可能な材料から具体化され、スロットは設けられない。干渉信号２４が、出力側で直列接続されたインダクタンスＬ１およびＬ２に入結合される場合には、高周波の干渉信号２４が、時間が経つにつれて変化する漂遊磁界を生成する。この漂遊磁界は、図２の磁力線２７および２８によって図示される。これらの漂遊磁界は、インダクタンスＬ１およびＬ２のチョーク巻線２５および２６から生じ、インダクタンスＬ３を有する側部チョーク１５のチョーク巻線２５を通過する。結果的にはごくわずかな巻線形状の違いであっても、漂遊磁界は完全に同一ではないので、非対称関係の結果、インダクタンスＬ３に高周波（ＨＦ：ｈｉｇｈ  ｆｒｅｑｕｅｎｃｙ）電圧が引き起こされる。前記高周波電圧は、高抵抗値用の電圧計測装置２９、一例として、オシロスコープによって示され、インダクタンスＬ３に接続される。この反対向きの誘導は、基本的には常に起こる。換言すればさらに、ＨＦ電圧源がインダクタンスＬ３自体に接続される場合にも起こる。この場合には、このさらなる電圧源によって印加される電圧、および反対向きの誘導によって引き起こされる電圧は、重ね合わせの原理に従って加法的に重ね合わされる。
【００４１】
図２は、巻線断面が、２つのチョーク巻線２５の線断面合計に相当する、単一コアの太線の導体形式のチョーク巻線２６を示す。しかしながら、チョーク巻線２６内で並列に巻線された複数の電線導体の形式の、さらに大きな線断面にも対応することが可能である。結果として、追加のＥＭＣ干渉信号、さらに的確には干渉周波数も生成する可能性がある、２つの並列に巻線された電線導体間で、互いに寄生共振効果を発生させることが実際にあり得る。それでもなお、用途によっては、この種類の細分化は、例えば、曲げ半径を小さくすることに関しては、有利な場合がある。
【００４２】
共通の環状コア上に、３つの同一のチョーク巻線を有する電流補償チョークが、３相交流用としては公知である。これらの電流補償チョークは、冷却を向上させるという理由で、ハウジング内で垂直に実装される場合が多い。前記チョークをこのようにハウジング内に配置することによって、さらに良好に、そしてさらに広い面積を、別途駆動によるか、または熱レベルの違いによって生じる自己調節による冷却用空気流と接触させることが可能になる。複数の別個のチョーク巻線２５および線断面が厚いチョーク巻線２６を有する本場合のチョーク１７について、ＥＭＣフィルタ９の動作時に、チョーク１７上の最も温度が高い地点が、チョーク巻線２６の領域内にあることが示されている。これは主として、いわゆる「近接効果」（例えば表皮効果）が原因で、電線導体中の電流密度が均一ではなく、むしろ電線導体の縁部領域で増加するように集中しているという事実の結果生じている。この均一でない電流分布により、ｎ倍の断面を有する単一のコア導体の場合には、単一の断面を有するｎ個の導体の場合よりもわずかに大きな抵抗損につながる。この理由により、チョーク巻線２６の領域を、特に十分正確に冷却することが有利である。したがって、チョーク１７をインバータに垂直（すなわち直立）に配置した場合では、チョーク巻線２６を、チョーク巻線２５と比較して特に良好に空気流にさらされる部位に配置されると有利である。この部位は一般には、チョーク１７の上部領域であり、この部位で、チョーク巻線２５は次に、横方向下向きに配置される。このように、チョーク１７の熱的に危険な領域（ホットスポット）は、下方に位置し、おそらく他のコンポーネントによって、この部位で部分的に冷却用空気電流から遮蔽される、熱的に危険でないチョーク巻線２５よりも良好に冷却用空気流に接触する。
【００４３】
図３は、図１に従うインバータ１のＥＭＣ適合性に及ぼす、図２に従う非対称の漂遊磁界の影響を示す。この図では、インバータ１は、入力部２からＤＣ／ＤＣ変換器７までのみが示されている。しかしながら、図３はさらに、キャパシタ３２を経由して接地ＰＥへと流れている電流を電圧降下として計測するために、電流供給線路５および６の関連するチョーク３１と、電流供給線路５および６から接地ＰＥまで通じている関連するキャパシタ３２と、計測抵抗器３３と、を備えるＥＭＣ計測装置３０を示している。チョーク３１のインダクタンス、キャパシタ３２の静電容量、および計測抵抗器３３のオーム抵抗が規格化されている、この種類の計測装置は、本発明の主題であるような、この種類のインバータの電磁適合性ＥＭＣを確立するために、型式検査において規定される。この計測装置とその寸法が、一例として、ＥＭＣテストを実施するのに適切な規格に定義されている。計測装置３０によって、一般に様々な装置の型式に関して実施される種々のＥＭＣ計測装置の適合性を保証するために、境界条件が定められる。ＥＭＣ計測装置３０は、したがって、ＥＭＣテストを実施するために必要なのであって、インバータ１の通常動作に必要なのではない。
【００４４】
非対称の漂遊磁界の影響についての説明をわかり易くする目的で、図３は、１つの場合を示しており、以下では、太陽光発電機４は上側の入力部２にのみ接続され、一方他の入力部２は、開いた状態であると見なされる。この特別な場合について以下の説明を行うが、生じている影響は、漂遊磁界によって誘導される電圧の重ね合わせの原理の結果、インバータ１の他の動作モードに移すこともできる。さらに、上側のＤＣ／ＤＣ変換器７だけを起動させる一方で、下側のＤＣ／ＤＣ変換器７は、動作が停止したままである。このとき、起動されたＤＣ／ＤＣ変換器は、その高周波切換装置により、高周波干渉信号および、それに関連する高周波干渉電流に対する干渉発生装置として見なすことができる。この干渉電流は、純粋な通常モードの干渉電流として最初に前もって想定されている。この通常モードの干渉電流は、点線矢印によって図示されるように、ＥＭＣフィルタ９を通ってＤＣ回路を、チョーク１７のインダクタンスＬ１およびＬ２を「見ない」で流れる。電圧は、ＥＭＣ計測装置３０の、インダクタンスＬ１およびＬ２に割り当てられている計測抵抗器３３の両端間で降下せず、したがって、検出すべきＥＭＣ関連の信号はない。しかしながら、インダクタンスＬ３に割り当てられている計測抵抗器３３では、すなわち開いた状態の入力部２の専用電流供給線路５では、ＨＦ干渉信号が計測される。これは、図２のＬ３に従って電圧が誘導される結果として生じる。対応するＨＦ干渉電流は、その経路が破線矢印によって図示されるが、接地ＰＥに向かって流れ、大きな寸法のフィルタキャパシタ１９を経由してインダクタンスＬ３へと戻る。チョーク１７の左側の、フィルタキャパシタ２０を経由する電流回路が閉じた状態であると見なせば、これは、計測装置３０によって干渉電流を確定する共振回路に相当する。この共振回路の共振の値が大きくなりすぎないように、抵抗器２３が設けられる。これらは、ＨＦ干渉電流を低減し、したがって、ＨＦ干渉電流から生じるＥＭＣ干渉信号もまた低減する。フィルタキャパシタ１９のすべてと直列な抵抗器２３を設けることは、対称性の理由があるだけでなく、インダクタンスＬ１およびＬ２と、Ｌ３と、の間の複雑な結合により、干渉が起こる可能性があることもまた考慮している。
【００４５】
一般に、干渉電流は、通常モード部分および同相モード部分からなる。同相モードの電流の場合でのＥＭＣフィルタ９の動作を、この特別な場合について図３に実線矢印によって示す。破線矢印に従う通常モードの電流とは対照的に、同相モードの電流は、インダクタンスＬ１およびＬ２を「見て」、前記インダクタンスによって低減される。干渉の出所に戻る所望の短経路を干渉に提供して、干渉が局部に限定されたままであるようにするために、大型のフィルタキャパシタ１９が、チョーク１５および１６の上流で接地に接続される。インダクタンスＬ１、Ｌ２の下流で依然として優勢な同相モードの電流は、上側および中央のフィルタキャパシタ２０と、上側および中央のキャパシタ３２と、直列接続された、ＥＭＣ計測装置３０の計測抵抗器３３と、を経由して接地ＰＥへと比例して流れ、こうしてこの部位で計測されるＥＭＣ干渉信号を確定する。さらに、同相モードの電流の場合には、下側のチョーク１５のインダクタンスＬ３では電圧が生じる。前記電圧は、漂遊磁界の配置が非対称である結果として生じ、ＰＥおよび関連するフィルタキャパシタ１９を経由する破線矢印によって示される干渉電流を駆動する。この場合もまた、干渉電流の強度が、直列接続された抵抗器２３によって低減される。
【００４６】
ＰＥに対する干渉を局部に限定する目的で、大型のフィルタキャパシタ１９を経由してＤＣ／ＤＣ変換器の出力で直接放出されるＨＦ干渉電流の部分については、この直接放出された干渉電流の部分が低減されるので、抵抗器２３は、実際には逆の効果を有する。しかしながら、抵抗器２３の寸法が小型のままであれば、以下の相反する２つの目的の折り合いを、上手くつけることが可能である。
−  干渉信号発生器として作用するＤＣ／ＤＣ変換器でのＨＦ干渉信号を、可能な限り良好に分断すること。
−  依然として存在し続ける、換言すれば、速やかに分断されない干渉電流および、これにより誘導される干渉電流を、可能な限り良好に減衰させること。
【００４７】
それに加えて、入力部２がブリッジ接続された場合には、ＤＣ／ＤＣ変換器７を同期して制御することにより、干渉スペクトルが確実に、入力部ブリッジ接続されていな２つのＤＣ／ＤＣ変換器７を独立して動作させた場合とほぼ同一になるので、それに応じてＥＭＣフィルタが調整し易くなる。さらに、同期して制御することによって、インバータ１では良好な温度管理が可能になり、横断電流の流れを防止する。
【００４８】
図４は、インバータ１の一実施形態を示すが、ここでは、３つの入力部２と、それに応じて３つのＤＣ／ＤＣ変換器７と、が設けられている。これらの３つの入力部２から、合計３つの専用電流供給線路５、および共通の電流供給線路６が、複合的電流補償チョーク１７を通って通じている。この図のチョーク１６に対するチョーク巻線は、チョーク１５に対するチョーク巻線の３倍の大きさの線断面を有する。図４に従うインバータ１の場合では、入力部２のうちの２つは、２つの破線１４によって図示されるように、３つの入力部２すべてをブリッジ接続することも可能である。その他の点では、図４に従うインバータ１の構造だけでなく機能もまた、図１〜３のインバータ１の構造および機能と一致する。
【符号の説明】
【００４９】
１  インバータ
２  入力部
３  出力部
４  太陽光発電機
５  線路
６  線路
７  ＤＣ／ＤＣ変換器
８  地点
９  ＥＭＣフィルタ
１０  ＤＣ中間回路
１１  ＤＣ／ＡＣ変換器
１２  交流電流網
１３  制御装置
１４  任意選択の電気的接続
１５  チョーク
１６  チョーク
１７  電流補償チョーク
１８  コア
１９  フィルタキャパシタ
２０  フィルタキャパシタ
２１  フィルタキャパシタ
２２  フィルタキャパシタ
２３  抵抗器
２４  ＨＦ干渉信号
２５  チョーク巻線
２６  チョーク巻線
２７  漂遊磁界
２８  漂遊磁界
２９  電圧計測装置
３０  計測装置
３１  チョーク
３２  キャパシタ
３３  計測抵抗器
ＰＥ  地電位
Ｌ１  インダクタンス
Ｌ２  インダクタンス
Ｌ３  インダクタンス
【図１】
0006265441.tif 000002
【図２】
0006265441.tif 000003
【図３】
0006265441.tif 000004
【図４】
0006265441.tif 000005